(57)【要約】【課題】アンテナ取り付け対象の機器の小型化とアンテナ性能の確保を図ることができるアンテナ取り付け構造を提供する。【解決手段】アンテナ６ａ，６ｂを取り付けた取り付け面５を、表示モニタ４に近い側から遠い側に向けて後方に傾ける。【選択図】図４
2014204153.tif 000002
【特許請求の範囲】
【請求項１】
機器の表示部の側部に板状のアンテナを取り付けるアンテナ取り付け構造において、
前記アンテナを取り付けた取り付け面を、前記表示部に近い側から遠い側に向けて後方に傾けたことを特徴とするアンテナ取り付け構造。
【請求項２】
前記取り付け面を、前記機器の取り付け角度に対して前記アンテナのアンテナ面の法線方向が水平方向に向く角度で傾けたことを特徴とする請求項１記載のアンテナ取り付け構造。
【発明の詳細な説明】
【技術分野】
【０００１】
この発明は、静電式のタッチパネルを搭載した電子機器におけるアンテナ取り付け構造に関する。
【背景技術】
【０００２】
例えば、車載用の電子機器では、意匠パネルに液晶などの表示モニタが配置され、アンテナの指向性能を確保する観点から、ＷｉＦｉなどの無線ＬＡＮ（Ｌｏｃａｌ  Ａｒｅａ  Ｎｅｔｗｏｒｋ）用のアンテナやＢｌｕｅｔｏｏｔｈ（登録商標；以下記載を省略する）用のアンテナも意匠パネルに配置される。
しかしながら、表示モニタの周囲には、表示モニタを機器本体に固定する板金製のフレームや、タッチパネルの静電気対策用の接地板金などの金属部材がある。このため、金属部材がアンテナの遮蔽物となってアンテナ性能を損なう可能性がある。
なお、特許文献１に記載の表示装置は、表示面の周縁部に表示面より浮かせてかつ指向特性中心軸が表示面に対して鉛直方向になるようにアンテナを配設している。
【先行技術文献】
【特許文献】
【０００３】
【特許文献１】特開２００６−１２９３６５号公報
【発明の概要】
【発明が解決しようとする課題】
【０００４】
上述のように、従来の電子機器では、表示モニタの周囲に設けられた金属部材が遮蔽物となってアンテナ性能を損なう可能性があるという課題があった。
また、特許文献１の発明は、アンテナを表示面より前方に配置することで、表示モニタの周囲の金属部材とアンテナとの距離を確保することができるが、表示面に対して鉛直な方向の機器サイズが大きくなるため、機器の小型化が制限されるという課題がある。
【０００５】
この発明は、上記のような課題を解決するためになされたもので、アンテナ取り付け対象の機器の小型化とアンテナ性能の確保を図ることができるアンテナ取り付け構造を得ることを目的とする。
【課題を解決するための手段】
【０００６】
この発明に係るアンテナ取り付け構造は、機器の表示部の側部に板状のアンテナを取り付けるアンテナ取り付け構造において、アンテナを取り付けた取り付け面を表示部に近い側から遠い側に向けて後方に傾けたことを特徴とする。
【発明の効果】
【０００７】
この発明によれば、アンテナ取り付け対象の機器の小型化とアンテナ性能の確保を図ることができるという効果がある。
【図面の簡単な説明】
【０００８】
【図１】この発明のアンテナ取り付け対象の機器を示す斜視図である。
【図２】図１の機器において意匠パネルを取り除いた構成を示す斜視図である。
【図３】図２の機器において液晶モニタ部を取り除いた構成を示す斜視図である。
【図４】実施の形態１に係るアンテナ取り付け構造を示す図である。
【図５】実施の形態１に係るアンテナ取り付け構造による機器外形の小型化の効果を説明するための図である。
【図６】アンテナ取り付け対象の機器を傾けて取り付ける場合を示す図である。
【発明を実施するための形態】
【０００９】
実施の形態１．
図１は、この発明のアンテナ取り付け対象の機器を示す斜視図であり、この発明に係るアンテナ取り付け構造を移動体（例えば車両）に搭載する機器に設けた場合を示している。また、図２は、図１の機器において意匠パネルを取り除いた構成を示す斜視図であり、図３は、図２の機器において液晶モニタ部を取り除いた構成を示す斜視図である。
図１に示す機器１は、機器本体２、意匠パネル３および表示モニタ部４を備えており、機器本体２が車両のインストルメントパネルに内蔵され、意匠パネル２が外側に露出した状態で取り付けられる。
【００１０】
また、図２に示すように、表示モニタ部４の周囲には金属部材４Ａが設けられる。金属部材４Ａは、例えば、表示モニタ部４を機器本体２に固定する板金製のフレームやタッチパネルの静電気対策用の接地板金などである。
この発明では、上述した表示モニタ部４の側部に取り付け面５が設けられ、この取り付け面５上に板状のアンテナ６ａ，６ｂが取り付けられる。
アンテナ６ａ，６ｂは、機器１の無線通信に使用する板金製のアンテナであり、例えばＷｉＦｉなどの無線ＬＡＮ用のアンテナやＢｌｕｅｔｏｏｔｈ用のアンテナである。
取り付け面５は、例えば、図３に示すように、表示モニタ部４の裏面に配置された板金シャーシ７から延出される。
【００１１】
図４は、実施の形態１に係るアンテナ取り付け構造を示す図であって、図４（ａ）は、図１の機器の側面図、図４（ｂ）は、図４（ａ）の符号Ａで囲んだ領域の縦断面であり、実施の形態１に係るアンテナ取り付け構造を示している。図４において、表示モニタ部４は、タッチパネル４ａと液晶モニタ４ｂを備えて構成される。
図４（ｂ）に示すように、この発明では、取り付け面５を表示モニタ部４に近い側から遠い側に向けて後方に傾けることにより、上述した金属部材４Ａとアンテナ６ａ，６ｂとの距離を確保し、金属部材４Ａがアンテナ６ａ，６ｂの遮蔽物となることを防いでいる。
【００１２】
図５は、実施の形態１に係るアンテナ取り付け構造による機器外形の小型化の効果を説明するための図である。図５（ａ）は、従来のアンテナ取り付け構造である。従来では、表示面に正対する方向をアンテナ６ａ，６ｂの指向方向とするため、アンテナ取り付け面１００が表示モニタ部４の表示面に対して平行になっている。これにより、図５（ａ）に示すように、金属部材４Ａとアンテナ６ａ，６ｂの距離を確保するには取り付け面１００を下方に配置する必要があった。
【００１３】
これに対して、この発明では、図５（ｂ）に示すように、アンテナ６ａ，６ｂを取り付けられた取り付け面５が表示モニタ４に近い側から遠い側に向けて後方に傾いている。
これにより、従来の構造よりも取り付け面５を表示モニタ部４の下方に近付けても金属部材４Ａとアンテナ６ａ，６ｂとの距離が確保される。
従って、従来の構造と比べて表示モニタ部４を含む構成の外形寸法を距離Ｂだけ小さくすることが可能である。
【００１４】
なお、取り付け面５の傾き角度は、機器１の取り付け角度を考慮して決定してもよい。
図６は、アンテナ取り付け対象の機器を傾けて取り付ける場合を示す図であって、図６（ａ）は、機器１が水平方向に対して上向きに取り付け角度θ１で取り付けられた場合を示している。例えば、車両のインストルメントパネルに機器１を取り付ける場合、このように上向きに取り付けられることがある。
【００１５】
図６（ａ）に示すように機器１が取り付けられる場合、アンテナ６ａ，６ｂの取り付け面５は傾斜角度θ２で後方に傾ける。ここで、角度θ１とθ２には図６（ａ）に示す関係にあり、取り付け面５の傾きによって機器１の取り付け角度θ１による傾きが相殺され、アンテナ６ａ，６ｂの指向方向が水平方向に保たれる。
このように構成することで、アンテナ６ａ，６ｂの指向方向を水平方向、すなわち座席の正面側に向けることができ、車両内アンテナとしての特性を向上させることができる。
【００１６】
以上のように、この実施の形態１によれば、アンテナ６ａ，６ｂを取り付けた取り付け面５を、表示モニタ４に近い側から遠い側に向けて後方に傾けたので、表示モニタ４の側部にある板金フレームなどの金属部材からアンテナ６ａ，６ｂを避けることができ、金属部材による遮蔽が回避されてアンテナ性能を確保することができる。
また、アンテナ６ａ，６ｂの取り付け面が後方に傾いているので、アンテナ６ａ，６ｂによって外側に占有される空間が小さくなり、機器１の小型化を図ることができる。
【００１７】
また、この実施の形態１によれば、取り付け面５を、機器１の取り付け角度に対してアンテナ６ａ，６ｂのアンテナ面の法線方向が水平方向に向く角度で傾けている。
このようにすることで、機器１の取り付け角度による傾きが取り付け面５の傾きにより相殺され、アンテナ６ａ，６ｂの指向方向を水平方向に保つことができる。
例えば、機器１が車両のインストルメントパネルに上向きに傾けて取り付けられる場合であっても、座席の正面側に向けることができ、車両内アンテナとしての特性を向上させることができる。
【００１８】
なお、本発明はその発明の範囲内において、実施の形態の任意の構成要素の変形、もしくは実施の形態の任意の構成要素の省略が可能である。
【符号の説明】
【００１９】
１  機器、２  機器本体、３  意匠パネル、４  表示モニタ部、４ａ  タッチパネル、４ｂ  液晶モニタ、４Ａ  金属部材、５  取り付け面、６ａ，６ｂ  アンテナ、７  板金シャーシ。
【図１】
2014204153.tif 000003
【図２】
2014204153.tif 000004
【図３】
2014204153.tif 000005
【図４】
2014204153.tif 000006
【図５】
2014204153.tif 000007
【図６】
2014204153.tif 000008